(57)【要約】【課題】  検索結果表示ページを電子メールに添付して送信する場合に、メールを受け取った側で必要な情報を確実に見ることができるノズル情報検索システムを提供する。【解決手段】  ネットワーク上のサーバーにカタログに基づいたデータベース２０を構築し、ユーザーがサーバーにアクセスしてノズル情報を検索するノズル情報検索システムであって、検索条件を入力することで、ノズル情報をデータベース２０から抽出するデータベース検索手段２９と、検索結果として、ノズル情報とカタログのサムネイル画像を表示させ、検索結果ページに設けられた電子メール起動手段２５ａとを備え、これにより起動される電子メール作成画面において、検索結果ページを電子メールに添付させるページ添付手段２５ｃとを備え、このページ添付手段２５ｃは、ノズル情報とサムネイル画像を添付させ、送信不要な所定のテキスト情報と、サムネイル画像以外の所定の画像情報をページから削除した形で添付させる。【選択図】  図２
2005108095.tif 000002
【特許請求の範囲】
【請求項１】
ネットワーク上に設置されるサーバーシステムにノズルカタログに基づいたデータベースを構築し、会員登録されたノズルユーザーがサーバーシステムにアクセスすることでノズル情報を検索できるようにしたノズル情報検索システムであって、
前記サーバーシステムは、
所定の検索条件を入力することで、ノズル情報を前記データベースから抽出するデータベース検索手段と、
検索した結果として、ノズル情報とそのノズルのカタログのサムネイル画像を表示させる検索結果ページを提供するページ提供手段と、
前記検索結果ページに設けられた電子メール起動手段とを備え、更に、
この電子メール起動手段により起動される電子メール作成画面において、
前記検索結果ページを電子メールに添付させるページ添付手段とを備え、
このページ添付手段は、ノズル情報と前記サムネイル画像を添付させると共に、送信不要な所定のテキスト情報と、前記サムネイル画像以外の所定の画像情報をページから削除した形で添付させるような処理を実行することを特徴とするノズル情報検索システム。 
【請求項２】
前記添付される情報は、ＨＴＭＬファイルとサムネイル画像の画像ファイルであることを特徴とする請求項１に記載のノズル情報検索システム。
【請求項３】
請求項１又は２に記載のノズル情報検索システムにおいて用いられ、所定の検索条件を入力することで検索した結果として、ノズル情報とそのノズルのカタログのサムネイル画像を表示させる検索結果ページを電子メールにより送信させるためのＷｅｂページ添付プログラムであって、
前記検索結果ページに設けられた電子メール起動手段により起動される電子メール作成画面において、
前記検索結果ページを電子メールに添付させる処理を行い、この処理を実行するに際して、ノズル情報とカタログのサムネイル画像を添付させると共に、送信不要な所定のテキスト情報と、前記サムネイル画像以外の所定の画像情報をページから削除した形で添付させるような処理をコンピュータに実行させることを特徴とするＷｅｂページ添付プログラム。 
【発明の詳細な説明】
【技術分野】
【０００１】
本発明は、ネットワーク上に設置されるサーバーシステムにノズルカタログに基づいたデータベースを構築し、会員登録されたノズルユーザーがサーバーシステムにアクセスすることでノズル情報を検索できるようにしたノズル情報検索システム及びＷｅｂページ添付プログラムに関するものである。
【背景技術】
【０００２】
かかるシステムとしてノズル情報検索システムが知られている（特許文献１参照) 。このシステムでは、ネットワーク（インターネット) 上に設置されるサーバーには、ノズルメーカーのノズルカタログに記載されたノズル情報をデータベース化し、ノズルユーザーがサーバーにアクセスすることで、自分の希望するノズル情報を検索することができる。かかるノズル情報検索システムを提供するために、サーバーには種々のサイト（ＷｅｂサイトあるいはＷｅｂページ) が構築される。このサイト群は、一般的にはＨＴＭＬファイルの形態でサーバーに保存されている。サイト群は、検索システムのトップページ、会員登録のためのサイト、検索の方法を説明するためのサイト、実際に検索を行うためのサイト等から構成される。
【０００３】
ユーザーは、上記の検索システムを利用してノズル情報の検索を行うと検索結果として、例えば、多数のノズル型番が一覧表として表示される。また、その一覧表の中にある特定のノズルについて、データベースに登録されているカタログ情報やカタログ画像も見ることができるように検索システムが構築されている。そして、ユーザーは、検索されたノズルのうちの特定のメーカーのノズルについて、そのメーカーに対して問い合わせを行いたいことがある。
【０００４】
そこで、メーカーに対して問い合わせを行う場合に電子メールを使用する方法が考えられる。電子メールを送信する場合に、上記ノズル検索を行った結果表示されるページをいっしょに添付した形で送信するようにすれば、ユーザーとメーカーの間のやり取りをスムーズに行うことができると考えられる。
【特許文献１】特開２００３−２２３８６号公報 (特許請求の範囲等）
【発明の開示】
【発明が解決しようとする課題】
【０００５】
上記のように、検索結果表示されるページをメーカーに送信する場合、次のような問題が発生する。ページ（Ｗｅｂページ）は、テキスト情報と画像情報を中心として構成されているが、ユーザーに送信される添付ファイルは、ＨＴＭＬファイルのみが添付された形で送信される。画像情報は画像ファイルとしてメールに添付されて送信されてくるのではなく、メールを受信して開封すると、サーバーにアクセスして画像ファイルをダウンロードする。ダウンロードした後に、画像が組み込まれたページとしてユーザーのコンピュータ画面に表示される。ＨＴＭＬファイルには、組み込まれる画像情報の置かれたＵＲＬが記述されており、そのＵＲＬに対応したサーバーにアクセスすることで画像ファイルをダウンロードする仕組みが採用されている。
【０００６】
しかしながら、ユーザーがノズル情報検索システムを利用してサービスの提供を受けるためには、会員登録を行う必要があり、会員登録を行っていない者は自由にアクセスすることができないようになっている。したがって、会員登録を行ったユーザーからメーカーにＷｅｂページを添付した電子メールを送信したとしても、受け取った側が会員登録をしていなければ、画像情報をダウンロードすることができない。したがって、電子メールを受け取った側は、画像が欠けた状態の非常に見づらいＷｅｂページを見ることになる。
【０００７】
本発明は上記実情に鑑みてなされたものであり、その課題は、検索結果を表示するページを電子メールに添付して送信する場合に、メールを受け取った側で必要な情報を確実に見ることができるようなノズル情報検索システムを提供することである。 
【課題を解決するための手段】
【０００８】
上記課題を解決するため本発明に係るノズル情報検索システムは、
ネットワーク上に設置されるサーバーシステムにノズルカタログに基づいたデータベースを構築し、会員登録されたノズルユーザーがサーバーシステムにアクセスすることでノズル情報を検索できるようにしたノズル情報検索システムであって、
前記サーバーシステムは、
所定の検索条件を入力することで、ノズル情報を前記データベースから抽出するデータベース検索手段と、
検索した結果として、ノズル情報とそのノズルのカタログのサムネイル画像を表示させる検索結果ページを提供するページ提供手段と、
前記検索結果ページに設けられた電子メール起動手段とを備え、更に、
この電子メール起動手段により起動される電子メール作成画面において、
検索されたノズルのノズルメーカーのメールアドレスを自動設定するアドレス設定手段と、
前記検索結果ページを電子メールに添付させるページ添付手段とを備え、
このページ添付手段は、ノズル情報と前記サムネイル画像を添付させると共に、送信不要な所定のテキスト情報と、前記サムネイル画像以外の所定の画像情報をページから削除した形で添付させるような処理を実行することを特徴とするものである。 
【０００９】
かかるノズル情報検索システムの作用・効果は、以下の通りである。サーバーシステムにノズル情報を検索する手段を設け、所定の検索条件を入力することで、ノズル情報をデータベースから抽出することができる。そして、検索して得られた特定のノズルについて、そのノズル情報とカタログのサムネイル画像を検索結果ページとしてユーザーのコンピュータ画面に表示させることができる。そしてこのページには、電子メール起動手段が設けられている。例えば、ページ内の特定の部分をクリックすれば、電子メールソフトが起動する。これを利用して、そのノズルのメーカーやその他のノズル情報を送りたいあて先に電子メールを送信することができる。この場合、送信先にその検索結果ページを添付して送信するようにしている。
【００１０】
この場合、 そのページに記載されているノズル情報（通常はテキストデータとして構成される）と、カタログのサムネイル画像を電子メールに添付する。また、ページをそのまま送信するのではなく、不要なデータは削除する。ページ内には、画像情報も種々含まれているのが通常であるが、カタログのサムネイル画像以外で不要な画像情報（画像ファイルとのリンク付け）は削除する。また、ノズル情報とは関連のないテキストデータ等も削除する。このように不要なデータを削除した上で、ノズル情報とサムネイル画像を添付した形で送信する。サムネイル画像もいっしょに送信するようにしているので、電子メールを受け取った側は、サーバーシステムに対するアクセス権がなくてもサムネイル画像を見ることができる。その結果、検索結果を表示するページを電子メールに添付して送信する場合に、メールを受け取った側で必要な情報を確実に見ることができるようなノズル情報検索システムを提供することができる。
【００１１】
本発明の好適な実施形態として、 前記添付される情報は、ＨＴＭＬファイルとサムネイル画像の画像ファイルであるものがあげられる。
【００１２】
ＨＴＭＬファイルのみではなく、サムネイル画像の画像ファイルも送信するので、サーバーシステムにアクセスしないでも、サムネイル画像が組み込まれたＷｅｂページとして見ることができる。
【００１３】
請求項１又は２に記載のノズル情報検索システムにおいて用いられ、所定の検索条件を入力することで検索した結果として、ノズル情報とそのノズルのカタログのサムネイル画像を表示させる検索結果ページを電子メールにより送信させるためのＷｅｂページ添付プログラムであって、
上記課題を解決するため本発明に係るＷｅｂページ添付プログラムは、
前記検索結果ページに設けられた電子メール起動手段により起動される電子メール作成画面において、
前記検索結果ページを電子メールに添付させる処理を行い、この処理を実行するに際して、ノズル情報とカタログのサムネイル画像を添付させると共に、送信不要な所定のテキスト情報と、前記サムネイル画像以外の所定の画像情報をページから削除した形で添付させるような処理をコンピュータに実行することを特徴とするものである。 
【００１４】
かかるコンピュータプログラムによる作用・効果は、上記説明した通りである。
【発明を実施するための最良の形態】
【００１５】
本発明に係るノズル情報検索システムの好適な実施形態を図面を用いて説明する。 図１は、ノズル情報検索システムの構成を示す概念図である。
【００１６】
＜システム全体構成＞
このシステムは、データベースに構築されたノズル情報を提供する総合ノズルコンサルタント会社Ｃ（以下、コンサルタント会社と略し、サーバー管理者にも該当する。 ）の管理するサーバーシステム２と、ノズルユーザーＡ（以下、単に「ユーザー」 と略す。）のクライアント装置１とがインターネットＢ（ネットワークに相当する) により接続されている。クライアント装置１は、一般的にはパソコンが使用され、インターネットに接続してホームページを閲覧するためのブラウザがインストールされている。また、ノズルメーカーＤのシステムにも接続されている。
【００１７】
サーバーシステム２は、いわゆるＷｅｂサーバを中核として構成されるものであり、ノズル情報検索システムを利用するために種々のページ（サイト) を用意している。このサイトマップについては、後述する。 ページは、ＨＴＭＬファイルの形式でハードディスクに保存されている。また、サーバーシステムには、システム運用のために必要なソフトウェアとして、ＯＳ及び各種アプリケーションがインストールされている。また、世界各国のノズルメーカーが提供するノズルカタログ２１に基づいて、ノズル情報のデータベース２０を構築している。このデータベース２０の概要は、本出願人による前述の特許文献１に開示されている。
【００１８】
先ほど述べたようにデータベース２０には、ノズルカタログに基づいてノズル情報をデータベース化しているが、例えば、ノズル仕様情報とノズル型番情報とを対応付けてデータベースに登録している。また、ノズル型番情報と、その型番に対応する圧力、流量、スプレー角度、スプレーパターン、材質等の仕様情報が登録される。従って、ユーザーの要望する圧力や流量の数値をキーワードとしてデータベース２０を検索することができる。また、各社のカタログ画像データ２１も入力されており、あるメーカーの型番が指定された場合は、その型番のノズルが掲載されているカタログの該当するページを検索することができるようになっている。これにより、ユーザーは、このデータベース２０を利用することで、世界のノズルメーカーのカタログ情報を取得することができる。
【００１９】
＜サーバーシステムの構成＞
次に、サーバーシステム２の制御ブロック構成を図２により説明する。送受信部２２は、ユーザー、コンサルタント会社等のパソコン（以下、外部パソコンと総称することがある。）からのアクセス要求に応じて、Ｗｅｂページ（ホームページ）データ（ＨＴＭＬデータ）や電子メールを送信する。また、外部パソコンにより入力されたデータ、電子メール等を受信する。この送受信部２２は、サーバーシステム２を構成するコンピュータにインストールされるプログラム（ＯＳ等）や通信インターフェースにより構成することができる。
【００２０】
Ｗｅｂページ記憶部２３は、ＷｅｂページデータがＨＴＭＬファイルの形式で保存されている。Ｗｅｂページ処理部２４は、外部パソコンからのアクセス要求に応じて、Ｗｅｂページ記憶部２３に記憶されているＷｅｂページデータを送受信部２２を介して送信させる。また、ＣＧＩプログラムによる処理結果やデータベース２０の検索結果をＷｅｂページの形態に処理し（ＨＴＭＬデータを生成し）、外部パソコンへと送信する。
【００２１】
電子メール処理部２５は、外部パソコンから送信されてくる電子メールの処理、例えば、電子メールに書かれているデータの解析等を行う。解析結果に基づき、ＣＧＩプログラムが起動される。また、外部パソコンへ送信すべき電子メールの自動作成を行う。ＣＧＩシステム２６とは、サーバーが外部のプログラム（ＣＧＩプログラム）を呼び出して実行させる機能のことをいう。ＣＧＩシステム２６の中核をなすＣＧＩプログラムが多数格納されている。
【００２２】
データベース制御部２９は、ユーザーのパソコンから送信されてきたキーワード情報に基づいて、データベース２０の検索を行う。検索結果は、ＣＧＩシステム２６の機能により、Ｗｅｂページの形態でユーザーのパソコンに返信される。
【００２３】
Ｗｅｂページ記憶部２３には、Ｗｅｂページデータが多数格納されているが、本発明と特に関連するものについて図２に示している。本検索システムでは、４つの検索方法を提供しており、具体的には、スタンダード検索、エキスパート検索、ノズル仕様検索、類似ノズル検索の４つである。そのための検索ページを提供する。また、スタンダード検索用ページは、各種入力フォームを提供するための手段（第１手段、第２手段、第３手段等のページ提供手段２３ｂ）を有する。ページ提供手段は、検索結果を表示させるページ等も提供する。また、エキスパート検索用ページ、ノズル仕様検索用ページ、類似ノズル検索用ページも、各種入力フォームを提供するための手段を有する。なお、ノズル型番検索手段２３ａとして機能するのは、スタンダード検索用ページと、エキスパート検索用ページである。なお、本検索システムにより提供される全てのページは、後述するように、英語のページと日本語のページとが用意されている。ただし、英語圏や日本語圏以外の国のユーザーにも検索システムを利用してもらいやすいように、 翻訳サイト２８とリンクさせる機能を適宜ページの中に組みこんでいる。
【００２４】
次に、電子メール処理部２５の機能のうち、本願と関連する機能を説明する。電子メール起動手段２５ａは、電子メールソフトウェア１９を起動させる。アドレス設定手段２５ｂは、電子メールの送信先であるメールアドレスを設定する。第１添付手段２５ｃ（ページ添付手段に相当）は、電子メールにノズル情報やノズルカタログのサムネイル画像を添付させる機能を有する。第２添付手段２５ｄは、電子メールにノズルユーザー情報を添付させる機能を有する。
【００２５】
＜サイトマップ＞
次に、Ｗｅｂページ記憶部２３に格納されているページ (サイト) の構成を図３〜図５のサイトマップにより説明する。各ページは、日本語（第１の言語）に基づいて作成した第１ページ群と、同じ内容を英語 (第２の言語）に基づいて作成した第２ページ群とにより構成されている。従って、第１ページ群も第２ページ群もサイトマップとしては同じ構成となる。また、各ページ群に含まれているページのうち特定のページについては、日本語と英語に加えて、ドイツ語、フランス語、イタリア語、スペイン語、中国語、韓国語、アラビア語、ロシア語、ポルトガル語（これらは第３の言語に相当）に基づいて記載されている。本システムは、世界各国に存在するユーザーに利用してもらうため、特定のページについては全部で１１カ国の言語に基づいて作成されている。これにより、利便性の高いシステムを提供することができる。
【００２６】
図３，４，５において、ページを番号で示している。番号を二点鎖線の枠で囲んでいるページは、別ウィンドウで起動するページを示す。ページ間のリンク関係を矢印で示している。ページの説明は概略にとどめ、本発明と関係するページについては、後で詳細に説明する。図３〜５には、サイトマップの全体を示しており、ページ間のリンク関係が違う図面にまたがる場合は、○付数字で矢印をつないでいる。また、図中、ひし形の記号は、何らかの判断処理が行われることを示している。
【００２７】
「１」はコンサルタント会社のトップページである。「２」は、ノズル情報検索システムのトップページである。「３」は、世界１１カ国の言語で本システムの案内がされていることを説明するページ（第２の特定ページ) である。「４」はキャンペーン中であることを説明するページである。「５」は目次ページである。
【００２８】
「６」はノズル情報検索システムのクイックガイドを示すページ (特定ページ) である。「７」は、システムの特徴を説明するページである。「８」はデータベース化されているノズルカタログ情報の内容を説明するページである。「９」は検索方法の種類を説明するページである。「１０」は、ノズル検索の操作を説明するページである。「１１」〜「１３」は、スタンダード検索の手順を説明するページである。「１４」はスタンダード検索の結果を表示するページである。「１５」はスタンダード検索の詳細結果を説明するページである。詳細結果において、カタログ画像をＰＤＦファイルで見ることができる。
【００２９】
「１６」〜「１９」はエキスパート検索の手順を説明するページである。「２０」は、エキスパート検索の結果を示すページである。「２１」はエキスパート検索の詳細結果を説明するページである。詳細結果において、カタログ画像をＰＤＦファイルで見ることができる。
【００３０】
「２２」はノズル仕様検索を説明するページである。「２３」は、ノズル仕様検索の結果を示すページである。「２４」は、ノズル仕様検索の詳細結果を説明するページである。「２５」は、類似ノズル検索の手順を示すページである。「２６」は、類似ノズル検索の結果を説明するページである。「２７」は、類似ノズル検索の詳細結果を説明するページである。「２８」は、単位換算を行うためのページである。このページは、単位換算を必要とするページにリンクさせている。
【００３１】
「２９」は、利用手続を説明するページである。「３０」は、サービス提供時間を説明するページである。「３１」は、利用料金と支払い方法を説明するページである。「３２」は、パソコンの推奨環境を説明するページである。「３３」は、利用規約を説明するページである。「３４」は、セキュリティポリシーを説明するページである。「３５」は、プライバシーポリシーを説明するページである。「３６」は、ＦＡＱ（よくある質問集）を説明するページである。「３７」は、問い合わせに関して説明するページである。「３８」は、サイトマップを説明するページである。「３９」は、サービスに関する表示をしたページである。「４０」は、カタログダウンロードを説明するページである。
【００３２】
「１０２」は、会員がログインするためのページである。すなわち、 本システムを利用するためには、会員登録を予め行っておく必要がある。会員登録を行った後、ＩＤとパスワードを入力することで、システムの利用が可能になる。「４１」は、カタログ送付先情報の記入フォームを説明するページである。「４２」は、エラー表示をするためのページである。「４３」は、送信内容の確認をさせるためのページである。「４４」は、送信完了を知らせるページである。
【００３３】
「４５」は、会員登録申し込みのトップページである。「４６」は、無料サービスの案内を知らせるページである。「４７」は、エラー表示をするページである。「４８」は、会員登録の申し込みフォームをユーザーに提供するためのページである。「４９」は、会員登録の申し込み内容をユーザーに確認させるためのページである。「５０」「５１」は、会員登録申し込み完了を知らせるためのページである。
【００３４】
「５２」は、利用料金の支払いを説明するページである。「５３」は、利用料金決済完了を知らせるためのページである。
【００３５】
「５４」は、会員がログインするためのページである。「５５」は、ログインエラーを知らせるためのページである。このエラー表示がされた場合は、ユーザーは、ＩＤとパスワードの入力をやり直す。「５６」は、アクセス制限中であることを知らせるページである。「５７」は、システム停止中を知らせるページである。「５８」は、タイムオーバーを知らせるページである。本システムは、支払われた料金に対応した時間だけ利用できるようになっている。「５９」は、会員情報の確認と変更、利用時間の確認を説明するページである。
【００３６】
「６０」は、パスワードの変更をするためのページである。「６１」は、入力したＩＤとパスワードのエラーを知らせるためのページである。「６２」は、パスワードの変更完了を知らせるページである。「６３」は、ユーザーの住所・連絡先の確認と変更をするためのページである。「６５」は、住所・連絡先を変更するための入力フォームを提供するためのページである。「６６」は、入力エラーを知らせるためのページである。「６７」は、住所・連絡先の変更内容を確認するためのページである。「６８」は、住所・連絡先の変更が完了したことを知らせるページである。
【００３７】
「６９」は、ＩＤとパスワードの確認をするためのページである。「７０」は、入力エラーを知らせるためのページである。「７１」は、ＩＤとパスワードの表示をするページである。「７２」は、システムの利用状況を確認するためのページである。「７３」は、利用状況を知らせるためのページである。
【００３８】
「７４」は、退会申請の入力フォームを提供するためのページである。「７５」は、退会手続完了を知らせるためのページである。
【００３９】
次に、検索基本パターンのサイトマップを図５により説明する。  
【００４０】
「７６」は、利用残り時間を表示するページである。これは、検索基本パターンにおける各ページに共通のボタンとして設定されている。「７７」は、検索方法を説明するページである。検索方法としては、ノズル型番に基づいた検索と、ノズルの仕様に基づいた検索と、似た性能のノズルも検索できる類似ノズル検索がある。型番検索は、概略条件を入力することで検索するスタンダード検索と、詳細条件を入力することで検索するエキスパート検索とがある。すなわち、 ４通りの検索方法を提供する。
【００４１】
「７８」〜「８０」は、スタンダード検索のための入力フォームを提供するページ（第１〜第３手段）である。「８１」は、スタンダード検索の検索結果の一覧表を表示するページである。「８２」は、検索エラー（無検索) を表示するためのページである。「８３」は、スタンダード検索結果の詳細表示をするためのページである。このページにおいて、検索されたノズルのカタログ画像をＰＤＦファイルで表示させることができる。「Ｍ」は、メールソフトが起動することを示す。すなわち、 検索されたノズル群のうち、ユーザーが選択したノズルのメーカーに対して電子メールを送信可能である。「８４」は、電子メール送信不可であることを表示するページである。
【００４２】
「８５」〜「８８」は、エキスパート検索のための入力フォームを提供するページ (第４〜第７手段) である。「８９」は、エキスパート検索の検索結果の一覧表を表示するページである。「９０」は、検索エラーを表示するためのページである。「９１」は、エキスパート検索結果の詳細表示をするためのページである。カタログ画像と電子メールに関しては、スタンダード検索と同様である。
【００４３】
「９２」は、ノズル仕様検索のための入力フォームを提供するページである。「９３」は、ノズル仕様検索の検索結果の一覧表を表示するページである。「９４」は、検索エラーを表示するためのページである。「９５」は、ノズル仕様検索結果の詳細表示をするためのページである。カタログ画像と電子メールに関しては、スタンダード検索と同様である。
【００４４】
「９６」は、類似ノズル検索のための入力フォームを提供するページである。「９７」は、ノズル仕様検索の検索結果の一覧表を表示するページである。「９８」は、検索エラーを表示するためのページである。「９９」は、ノズル仕様検索結果の詳細表示をするためのページである。カタログ画像と電子メールに関しては、スタンダード検索と同様である。
【００４５】
「１００」は、単位換算のためのページである。ノズルカタログで使用されている圧力や流量の単位は、メーカー間による統一がされていない。そこで、ユーザーの使いやすい単位に変換できるようにしている。「１０１」は、複数ログインエラーを知らせるページである。「１０２」は、会員ログインのためのページである。「１０３」は、ログアウト確認のためのページである。
【００４６】
＜検索方法の選択＞
次に、本発明に係るノズル情報検索システムにおける４つの検索方法の選択を説明する。図６は、検索方法を選択するためのページの表示構成例を示す。ここに示すように、本検索システムは４つの検索方法を提供する。すなわち、 ノズル型番検索として、スタンダード検索とエキスパート検索、ノズル仕様検索と、類似ノズル検索である。画面上の「検索画面へ」と書かれたボタン４０をクリックすれば、夫々の検索画面へと移行する。なお、画面右上の、「ご利用残り時間」をクリックすれば、残り時間を知ることができる (図５の「７６」で示すページ) 。以下、スタンダード検索についてのみ説明する。
【００４７】
＜スタンダード検索＞
スタンダード検索は、概略の検索条件を入力して、ノズル型番を多数検索する方法である。広範囲で多数のノズル型番を検索することができる。スタンダード検索では、３段階に分けて検索条件を入力可能である。図６に示す画面において、スタンダード検索を選択すると、まず図７に示すようなステップ１の検索画面 (入力フォーム) に移行する。これは第１手段の機能に基づく。
【００４８】
画面の上部には、入力済みの検索条件を表示する表示エリア４１が設けられている。ステップ１では、ノズルの分類を検索条件として入力する。あらかじめ、「液体用ノズル」「気体用ノズル」・・・のように分類がされており、ラジオボタンをクリックすれば、いずれか１つの分類を選択することができる。選択を終了すると、画面下にある「次ページ」ボタンをクリックすれば、ステップ２へ進む。
【００４９】
図８は、スタンダード検索の第２ステップの検索画面 (入力フォーム) を示す図である。これは第２手段の機能に基づく。ステップ１と同様に表示エリア４１が設けられている。この表示エリア４１には、ステップ１で入力済みのノズルの分類として、「蒸気ノズル」が表示されている。これにより、過去に（別のステップで）入力した検索条件を確認することができる。ステップ１の条件を変更したい場合は、表示エリア４１の中で「Ｓｔｅｐ１」と表示された箇所をクリックすれば、先ほどの図７の検索画面に戻ることができる。
【００５０】
ステップ２では、スプレーパターンを選択する。スプレーパターンは、ノズルの先端から外部に流体が噴射されるときの噴射パターンである。スプレーパターンの表現については、ノズルメーカーの間で統一されたものがなく、また、言葉で表現すること自体も難しい。従って、ユーザーに検索条件としてスプレーパターンを入力させる場合に、どのような形で入力させるかは重要である。また、ユーザーが入力しやすいような形態でなければならない。そこで、スプレーパターンをイラスト化して表示させるようにした。本願発明者は、世界各国のノズルカタログを検討し、全てのノズルを図８に示すようにイラスト化されたスプレーパターンで分類した。夫々のスプレーパターンには、形状ＩＤも付している。なお、スプレーパターン断面が同じであっても、流体の噴射方向が異なる場合は、異なる分類として扱っている。言葉による説明だけでなく、スプレーパターンをイラスト化しているので、ユーザーは迷うことなく自分の要望するノズルのスプレーパターンを選択することができる。選択は、いずれか１つのラジオボタンをクリックすればよい。ステップ２の入力が終わると、「次ページ」 ボタンをクリックしてステップ３に進む。
【００５１】
図９は、ステップ３の検索画面 (入力フォーム) の構成例を示す図である。これは第３手段の機能に基づく。ステップ３では、概略のノズル仕様を検索条件として入力する。他の、ステップ１，２の画面と同様に、表示エリア４１が設けられている。既に入力済みのノズルの分類とスプレーパターンをイラスト化したものが表示されている。表示エリア４１の機能は、すでに説明したのと同じである。
【００５２】
画面の下部にノズル仕様を入力するための入力フォームが示される。具体的には、流体圧力と噴射流体流量とスプレー角度とを入力できる。流体圧力を入力する入力欄４３と、単位を選択する入力欄４５とが設けられている。入力欄４３には、数値を入力する。単位については、メーカーやユーザーによって取り扱っている単位が異なっているので、選択できるようにした。なお、ユーザーの選択した単位と、メーカーのカタログ記載の単位とが異なっていたとしても、単位換算の演算処理を行って検索するようにしているので、選択した単位に依存して検索結果が異なることはないようにしている。噴射流体流量についても、単位を選択できる。なお、単位換算表と記載されているボタン４２をクリックすると、単位換算するためのページが別ウィンドウで表示される。このページで、単位換算を行うことができるので、ユーザーは必要に応じて利用すればよい。
【００５３】
また、噴射流体流量とスプレー角度については、許容範囲も入力できるような入力欄４４も設けている。これは、もし許容範囲を入れない場合は、入力した流体圧力に対応する噴射流体流量及びスプレー角度を有するノズルが検索されない可能性が高くなるからである。つまり、ピンポイントの数値の検索では、ユーザーの要望する特性を有するノズルが存在するにもかかわらず、検索結果として抽出されないということがありうる。 そこで、本検索システムでは、許容範囲も入力させるようにして、確実に検索できるようにしている。
【００５４】
ステップ３の検索条件を入力し終わったら、検索開始ボタンをクリックすると、検索が行われる。なお、既に入力済みの検索条件のやり直しをする場合は、表示エリア４１の中にある該当する箇所をクリックすれば、選択したステップの検索画面のところに戻る。また、検索を実行するにあたり、ステップ１とステップ２とは必須項目であるが、ステップ３のノズル仕様については、入力しなくても検索を行うことができる。あるいは、ノズル仕様の一部のみを入力しても良い。これにより、広範囲にわたってノズルを検索することができる。
【００５５】
図１０は、スタンダード検索における検索結果の一覧表を表示する画面の構成例である。この画面においても、検索条件を表示する表示エリア４１が設けられている。機能は同じである。
【００５６】
一覧表は、画面の下部に示される。表の項目として、システムコード、メーカー、国籍、カタログ言語、メーカー型番、圧力値、単位、単位選択、流量値、単位、単位選択、スプレー角度が図示されている。図示の都合で示してはいないが、材質、ネジの規格・サイズ・オスメスの区別、バルブ、ストレーナについての項目も設けられる。このように、検索結果をノズル型番として抽出することができる。検索個数が多数の場合は、複数ページにわたって一覧表が作成される。ユーザーは、この検索結果を見て、新たに検索条件を入力したい場合は、画面の下にある「検索方法」の選択と記載されたボタンをクリックすればよい。この場合、入力した数値はクリアされる。また、検索結果を更に絞込みたい場合は、エキスパート検索に行くことができる。この場合も、画面下にある「エキスパート検索」 と記載されたボタンをクリックすればよい。これについては後述する。
【００５７】
一覧表に表示されている各社のノズルのうちの、特定のノズル型番のノズルについて詳細に知りたい場合は、一覧表の中のメーカー型番の枠内（例えば、図番４６で示している箇所) をクリックすればよい。これにより、図１１，１２に示す、検索結果詳細表示の画面に移行する。図１１の画面を下方にスクロールすれば図１２の画面になる。
【００５８】
図１１の画面においても、上部に表示エリア４１が設けられている。機能は、すでに説明した通りである。また、単位換算表のためのクリックボタン４２も設けられている。
【００５９】
選択した特定のノズルメーカーの特定のノズル型番についての詳細表示が一覧表４８として表示されている。そのノズルのメーカーのＵＲＬも表示されており、メーカーのホームページもすぐに見ることができる。図１２に示すように、圧力−流量特性表４９と圧力−スプレー角度特性表５０が表示されており、単位も選択できる。異なる単位を選択すると、演算処理がされ、選択した単位に対応した数値に変換される。
【００６０】
一覧表４８の下方には、検索されたノズルに関連したノズルカタログのページ５１がサムネイル画像として表示されている。そのページの箇所をクリックすると、画像が拡大されてカタログ画像を通常の大きさで見ることができる。
【００６１】
先ほどと同様に、新たに検索条件を入力したい場合は、「検索方法」の選択と記載されたボタン５３をクリックすればよい。
【００６２】
画面の下部には、「添付メーラー起動」と記載されたボタン５２が設けられている。ユーザーは、メーカーに対して問い合わせを行いたい場合は、このボタン５２をクリックすればよい。これにより、電子メールのソフトウェアが自動的に起動する。また、宛先にもそのメーカーのメールアドレスが既に入力された状態となっている。以下、この点を詳しく説明する。
【００６３】
＜電子メール起動手段の機能説明＞
本発明に係る電子メール起動手段の機能を説明するにあたり、それと比較されるべき比較例について順次説明する。
【００６４】
＜＜比較例１＞＞
表示されているＷｅｂページ（図１１と図１２に示される検索結果詳細画面のページ）を送信させる場合、一般的な方法は、ブラウザ（Internet  ExplorerTM）に設けられている「ページの送信」機能を利用する方法である。ＷｅｂページがＨＴＭＬファイルと画像情報から構成されている場合、電子メールで送信されるのはＨＴＭＬファイルのみである。画像情報（画像ファイル）は電子メールに添付されてくるのではなく、受信者が受け取ったＨＴＭＬファイルを開封すると、画像ファイルをダウンロードし、画像情報が組み込まれた形で表示される（図１３参照）。すなわち、ＨＴＭＬファイルには、画像情報そのものが含まれているわけではなく、その画像情報に対応した画像ファイルが置かれているネットワーク上のＵＲＬが記述されているに過ぎない。したがって、各画像情報に割り当てられているＵＲＬにアクセスすることで、順次画像ファイルをダウンロードしている。
【００６５】
そこで、上記のようにＨＴＭＬファイルが添付された電子メールをノズルメーカー等に送信した場合、サーバーシステムにアクセスすることになるが、本システムのように会員登録を行った上で認証が必要なシステムの場合は、サーバーシステムにアクセスしたとしても画像ファイルをダウンロードすることができない。会員登録を済ませた検索システムのユーザーのみが閲覧できるデータであるため、会員ではない者や会員であっても使用料の支払いを行っていない者は見ることができないため、ＨＴＭＬファイルを受け取ったとしても、画像が見れないＷｅｂページが表示されてしまうことになり、不都合である。
【００６６】
そうかといって、誰でもがアクセスできるようなシステムにすると、データを盗まれるなどのセキュリティ上の問題が生じる。
【００６７】
＜＜比較例２＞＞
比較例２として、サーバーシステムにアクセスする必要がないように、画像ファイルも全て添付する方法が考えられる。図１４は、受信者がOutlook Express TM（以下、第１ソフトという）を利用している場合の受信画面を示す図である。この図からも分かるように、Ｗｅｂページを構成している全ての画像情報が単純に並んで表示されるだけであり、非常に見づらい画面となる。
【００６８】
図１５は、受信者がBecky!（以下、第２ソフトという）を利用している場合の受信画面を示す図である。この場合もページを構成している全ての画像ファイルが添付されてしまうので、受信者が困惑する。
【００６９】
＜＜比較例３＞＞
次に、比較例３を説明する。すなわち、 必要のない画像ファイルは添付しないで、カタログのサムネイル画像のみを添付して送信する方法である。この場合、受信者が第１ソフトで受信した場合の受信画像を図１６に示すが、単純に画像が並んでいるだけであり、非常に見づらい状態になる。また、第２ソフトで受信した場合の受信画面を図１７に示すが、やはり非常に見づらい状態になる。また、１つ１つの画像ファイルを開いて確認するのが煩雑である。
【００７０】
＜＜本発明による方法＞＞
次に、本発明による方法を説明する。本発明においては、専用のソフトウェアにより、電子メールを受信した側が、サーバーシステムにアクセスすることなく、図１１，１２に示すようなＷｅｂページを表示できるように構成している。すなわち、 図１１，１２に示すようなＷｅｂページの全体を送信するのではなく、必要な情報のみを送信するようにする。具体的には、ノズル情報とノズルカタログのサムネイル画像のみを送信する。Ｗｅｂページを構成するデータは、基本的にはＨＴＭＬファイルで送信し、サムネイル画像についてはその画像ファイルも同時に送信する。送信されるサムネイル画像の画像ファイルは、ＨＴＭＬファイルとリンク付けされている。サムネイル画像の同時に送信するので、ＨＴＭＬファイルを受信したとしてもサーバーシステムにアクセスしなくて良いように、リンク付けを行っている。したがって、電子メールを受信した側が会員登録を行っていなくてもＷｅｂページを通常の形態で見ることができる。
【００７１】
図１８は、第１ソフトにより受信した状態を示す受信画像である。図１９は、第２ソフトでの受信画像を示す。これらの図面からも分かるように、電子メールを受け取った側も非常に見やすいページ構成となっている。また、画像ファイルについては、サムネイル画像のみを添付しており、それ以外の不要な画像は削除処理している。例えば、図１１において、入力した検索条件におけるスプレーパターンのイラスト画像や、図１２の画面下にあるような、各種クリックボタンの画像は、不要なデータであるから削除している。
【００７２】
また、ノズル情報以外のテキストデータについても不要なデータは削除されており、すっきりした形となっている。例えば、図１１における「スタンダード検索」の文字データや「あなたが入力した検索条件」といった文字データは、必要のないデータであるから送信されるＨＴＭＬデータには含まれていない。以上のような、必要なデータの選択や削除といった処理が行われる。
【００７３】
以上説明してきた、各比較例１〜３と本発明のメールにおけるファイル添付方法についての評価を図２０に表にまとめて示す。本発明による方法が優れていることが、この表からも確認することができる。
【００７４】
＜文字化け問題の対処＞
次に、文字化け問題について説明する。本ノズル情報検索システムの各ページは、基本的には日本語バージョンと英語バージョンがある。Ｗｅｂページを電子メールに添付する場合も、日本語バージョンのＷｅｂページを送信できるし、英語バージョンのページを送信することもできる。しかしながら、日本語圏以外の国にメールを送信する場合に、日本語バージョンのＷｅｂページを送信したとしても、受け取った側のパソコンが日本語を認識できなければ文字化けを生じる。したがって、文字化けを生じさせないような対処が必要である。そのための処理手順を図２１のフローチャートにより説明する。
【００７５】
まず、ユーザーが日本語ページを基本として検索方法を選択したものとする（＃１）。検索を行った結果、図１１，１２に示すような日本語の検索結果詳細画面が表示される（＃２）。このページで図１２に示すような添付メーラー起動ボタンをクリックすると、電子メールソフトが起動する。ただし、その電子メールを送信しようとするノズルメーカーが日本以外の外国メーカーであることもあるので、英語バージョンで最初から検索をしなおすようなメッセージを検索結果詳細画面の中に注記として記載しておく。すなわち、 テキストリンクにより、英語バージョンの検索方法の選択画面へ移行することができる（＃４）。これにより、英語バージョンで検索のしなおしをさせるようにする。なお、ステップ＃１の画面からもテキストリンクでステップ＃４の画面に移行することができる。
【００７６】
英語バージョンで検索を行うと英語バージョンの検索結果詳細画面が表示され、 ここから英語バージョンの電子メールソフトを起動させることができる（＃６）。送信されるＷｅｂページも英語バージョンとなる。なお、日本語と異なり英語の場合は、どの国のパソコンであっても認識できる可能性が高いので、英語バージョンのＷｅｂページを送信することについては問題ないと考えられる。
【００７７】
なお、ステップ＃２において、日本語バージョンの電子メールを起動させた後も、英語バージョンでの検索やり直しを促すようなメッセージを出すようにすることが好ましい（＃３）。日本語バージョンのページを国内メーカー宛に送信する場合（＃７，８）については、文字化けの問題はなく問題はない。日本以外の海外メーカー宛に送信する場合は、文字化けが生じる可能性がある（＃９，１０）。
【００７８】
英語バージョンのページを送信する場合は、上記の国内メーカーでも海外メーカーであっても文字化けの問題はないと考えられる。このような注意を喚起するようなメッセージを出すことにより（予め、記載しておくことにより）ユーザーからメーカーへ適切な形でＷｅｂページを送信するようにすることができる。
【００７９】
＜別実施形態＞
（１）本発明の検索システムにおいて、サーバーシステムを１台のサーバー装置で構成するか複数台で構成するかは適宜選択できるものである。複数台で構成して機能を分散することにより、各サーバー装置の負担を軽減することができる。例えば、Ｗｅｂサーバ、データベース・サーバーのように分散することができる。複数のサーバーで構成する場合に、サーバーが設置される場所が分散されていても良い。
（２）本実施形態ではスタンダード検索の検索結果における電子メール起動を説明したが、エキスパート検索の検索結果においても同様に構成することができる。
（３）本実施形態において、電子メールソフトを起動させて、Ｗｅｂページを添付する処理であるが、この処理はユーザーのパソコン側で行ってもよいし、サーバーシステムにおいて処理を実行しても良い。すなわち、 サムネイル画像以外の画像情報を削除（ＨＴＭＬデータからリンクのためのテキストデータを消去）したり、不要なテキストデータを消去したりする処理は、サーバー側で行ってもよいし、ユーザーのパソコンで行うようにしてもよい。図２に示す、電子メール処理部２５の機能の一部又は全部をユーザーのパソコンにダウンロードして使用できるようにしても良い。
（４）電子メールを起動させたときのメールあて先には、その検索結果に係るノズルのノズルメーカーのメールアドレスが自動的に挿入されるようにしている。ユーザーは、そのノズルメーカー以外のアドレスに送信をしたい場合は、自分で宛先を挿入すればよい。
【図面の簡単な説明】
【００８０】
【図１】ノズル情報検索システムの構成を示す概念図
【図２】サーバーシステムの制御ブロック構成を示す図
【図３】サイトマップの構成を示す図
【図４】サイトマップの構成を示す図
【図５】サイトマップの構成を示す図
【図６】検索方法の選択画面の構成例を示す図
【図７】スタンダード検索におけるステップ１の検索画面の構成例を示す図
【図８】スタンダード検索におけるステップ２の検索画面の構成例を示す図
【図９】スタンダード検索におけるステップ３の検索画面の構成例を示す図
【図１０】スタンダード検索における検索結果の一覧表を表示する画面の構成例を示す図
【図１１】スタンダード検索における検索結果詳細表示の画面の構成例を示す図
【図１２】スタンダード検索における検索結果詳細表示の画面の構成例を示す図
【図１３】比較例１における電子メール受信画面を示す図
【図１４】比較例２における電子メール受信画面を示す図（第１ソフト）
【図１５】比較例２における電子メール受信画面を示す図（第２ソフト）
【図１６】比較例３における電子メール受信画面を示す図（第１ソフト）
【図１７】比較例３における電子メール受信画面を示す図（第２ソフト）
【図１８】本発明における電子メール受信画面を示す図（第１ソフト）
【図１９】本発明における電子メール受信画面を示す図（第２ソフト）
【図２０】各方法の比較評価を示す表
【図２１】文字化け対処の手順を示すフローチャート
【符号の説明】
【００８１】
１        クライアント装置
２        サーバーシステム
２０      データベース
２１      ノズルカタログ
２２      送受信部
２３      Ｗｅｂページ記憶部
２３ａ    ノズル型番検索手段
２３ｂ    ページ提供手段
２４      Ｗｅｂページ処理部
２５      電子メール処理部
２５ａ    電子メール起動手段
２５ｂ    アドレス設定手段
２５ｃ    第１添付手段
２５ｄ    第２添付手段
２９      データベース検索手段
【図１】
2005108095.tif 000003
【図２】
2005108095.tif 000004
【図３】
2005108095.tif 000005
【図４】
2005108095.tif 000006
【図５】
2005108095.tif 000007
【図６】
2005108095.tif 000008
【図７】
2005108095.tif 000009
【図８】
2005108095.tif 000010
【図９】
2005108095.tif 000011
【図１０】
2005108095.tif 000012
【図１１】
2005108095.tif 000013
【図１２】
2005108095.tif 000014
【図１３】
2005108095.tif 000015
【図１４】
2005108095.tif 000016
【図１５】
2005108095.tif 000017
【図１６】
2005108095.tif 000018
【図１７】
2005108095.tif 000019
【図１８】
2005108095.tif 000020
【図１９】
2005108095.tif 000021
【図２０】
2005108095.tif 000022
【図２１】
2005108095.tif 000023